(57)【要約】  液体透過性トップシートを含む、生理用品のような吸収性物品であって、このトップシートが吸収性物品の内部に向かって配向される内表面及び、吸収性物品が着用されるときに着用者の皮膚に向かって配向される外表面を有する、吸収性物品。吸収性物品はトップシートに接合したバックシートを含み、このバックシートは吸収性物品の内部に向かって配向される内表面及び、吸収性物品が着用されたときに着用者の衣類に向かって配向される外表面を有する。吸収性物品はトップシートとバックシートとの間に配置される吸収性コアを含み、この吸収性コアは吸収性物品が着用されたときに着用者の皮膚に向かって配向される内表面及び、吸収性物品が着用されたときに着用者の衣類に向かって配向される外表面を有する。吸収性物品はトップシートの内表面、バックシートの内表面及び／又はトップシートの内表面とバックシートの内表面との間に配置される基材若しくはその表面の少なくとも一部に適用されるローション組成物を含み、このローション組成物はポリプロピレングリコール材料を含む。
2010518918.tif 000002
【特許請求の範囲】
【請求項１】
液体透過性トップシートであって、前記トップシートが前記吸収性物品の内部に向かって配向される内表面及び、前記吸収性物品が着用されるときに着用者の皮膚に向かって配向される外表面を有するトップシートと、
前記トップシートに接合したバックシートであって、前記バックシートが前記吸収性物品の前記内部に向かって配向される内表面及び、前記吸収性物品が着用されるときに前記着用者の衣類に向かって配向される外表面を有するバックシートと、
前記トップシートと前記バックシートとの間に配置される吸収性コアであって、前記吸収性コアが前記吸収性物品が着用されるときに前記着用者の前記皮膚に向かって配向される内表面及び、前記吸収性物品が着用されるときに前記着用者の前記衣類に向かって配向される外表面を有する吸収性コアと、
前記トップシートの前記内表面、前記バックシートの前記内表面及び／又は前記トップシートの前記内表面と前記バックシートの前記内表面との間に配置される基材若しくはその表面の少なくとも一部に適用されるローション組成物であって、前記ローション組成物がポリプロピレングリコール材料を含むローション組成物と、を含む吸収性物品。
【請求項２】
前記吸収性物品が吸収性ゲル材料を更に含み、前記ポリプロピレングリコール材料が前記吸収性ゲル材料の結合剤ではない、請求項１に記載の吸収性物品。
【請求項３】
前記吸収性物品が生理用ナプキン及びパンティライナーからなる群から選択される生理用品である、請求項１又は２に記載の吸収性物品。
【請求項４】
前記トップシートが不織布材料及び成形フィルム材料からなる群から選択される、請求項１〜３のいずれか一項に記載の吸収性物品。
【請求項５】
前記トップシートが親水性である、請求項１〜４のいずれか一項に記載の吸収性物品。
【請求項６】
前記ローション組成物が前記吸収性物品の概略長手方向に配向される１個又は複数の細長条で前記トップシートの前記内表面上に配置される、請求項１〜５のいずれか一項に記載の吸収性物品。
【請求項７】
前記トップシートが疎水性である、請求項１〜４及び６のいずれか一項に記載の吸収性物品。
【請求項８】
前記ローション組成物が前記ローション組成物により被覆される領域の単位平方メートルあたり約０．０１グラムないし約１００グラムの量で適用される、請求項１〜７のいずれか一項に記載の吸収性物品。
【請求項９】
前記ローション組成物が前記吸収性コアの表面上に適用される、請求項１〜８のいずれか一項に記載の吸収性物品。
【請求項１０】
前記ローション組成物が前記バックシートの前記内表面に適用される、請求項１〜９のいずれか一項に記載の吸収性物品。
【請求項１１】
前記吸収性物品が前記トップシートと前記吸収性コアとの間に配置される第２トップシートを更に含み、前記ローション組成物が前記第２トップシートの表面に適用される、請求項１〜１０のいずれか一項に記載の吸収性物品。
【請求項１２】
前記ポリプロピレングリコール材料がポリプロピレングリコールホモポリマー材料、ポリプロピレンコポリマー材料、ポリプロピレングリコール界面活性剤材料及びこれらの混合物からなる群から選択される、請求項１〜１１のいずれか一項に記載の吸収性物品。
【請求項１３】
前記ポリプロピレングリコール材料がホモポリマー材料、好ましくはポリプロピレングリコールである、請求項１２に記載の吸収性物品。
【請求項１４】
前記ポリプロピレングリコール材料がポリプロピレングリコール界面活性剤材料、好ましくはＰＰＧ−１５ステアリルエーテルである、請求項１４に記載の吸収性物品。
【請求項１５】
前記ローション組成物が本質的に前記ポリプロピレングリコール材料からなる、請求項１に記載の吸収性物品。
【発明の詳細な説明】
【技術分野】
【０００１】
本出願は経血を吸収するためのタンポン及び生理用ナプキンのような生理用品を含む吸収性物品に関する。より具体的には、本発明はポリプロピレングリコール材料を含むローション組成物を含む生理用品に関し、このローション組成物はその表面に適用されている。
【背景技術】
【０００２】
ローション付きトップシートを有するおむつ、トレーニングパンツ及び生理用品のような使い捨て吸収性物品は既知である。様々な種類のローションは、おむつかぶれの予防又は治療のような、様々な皮膚への効果をもたらすことは既知である。これらのローションは例えば、吸収性物品のトップシートに適用することができ、使用中に着用者の皮膚に移動可能である。
【０００３】
多くの種類の使い捨て吸収性物品と異なり、パッド及びパンティライナーのような生理用品は特に月経液を獲得するように設計されている。月経液は尿のような他の排出物とは粘度など多くの重要な特性において異なっている。そのため、生理用品を月経液を最大に吸収するように最適化させるためには、構造上の構成要素の点で乳児用おむつのような用品とは異なるはずである。
【０００４】
第１に皮膚に健康上の利益をもたらし、第２に尿のような流体を製品に吸収させるために、おむつ吸収性製品のトップシートの身体側表面を処理することが提案されている。それにもかかわらず、これらの処理は流体の獲得を妨げることが知られており、流体獲得に対する影響を最小限に抑えるためにトップシートの身体側表面のある領域上にこれらの処理を施すような「基本構想」が設計されている。皮膚に健康上の利益を提供するために、女性用衛生製品のトップシートの身体側表面を処理することも提案されており、同様に月経液の獲得の妨害を最小限に抑えるために処理の配置が一般に実施される。それにもかかわらず、これらのトップシートの処理を使用すると、不潔な又は汚れたトップシートの外観を含む、女性用衛生製品のユーザへの負の製品不良シグナル又は負の臭気感覚シグナルを引き起こす恐れがある。
【発明の概要】
【発明が解決しようとする課題】
【０００５】
流体を、中央から離れて縁部に向かって製品へ移動させて、流体獲得及び容量を向上させることができる、女性用衛生製品の処理を有することは有益である。
【０００６】
更に、制御された様式での、月経液のような流体の移動を可能にする女性用衛生製品の処理を有することが有益である。
【０００７】
更に、知覚される清浄度を高めるように、月経液のような流体の移動を促進する女性用衛生製品の処理を有することが有益である。
【課題を解決するための手段】
【０００８】
生理用品のような吸収性物品は液体透過性トップシートを含み、トップシートは吸収性物品の内部に向かって配向される内表面及び、吸収性物品が着用されるときに着用者の皮膚に向かって配向される外表面を有する。吸収性物品はトップシートに接合したバックシートを含み、バックシートは吸収性物品の内部に向かって配向される内表面及び、吸収性物品が着用されるときに着用者の衣類に向かって配向される外表面を有する。吸収性物品はトップシートとバックシートとの間に配置される吸収性コアを含み、この吸収性コアは吸収性物品が着用されるときに、着用者の皮膚に向かって配向される内表面及び、吸収性物品が着用されるときに、着用者の衣類に向かって配向される外表面を有する。吸収性物品はトップシートの内表面、バックシートの内表面及び／又は（吸収性コアのような）トップシートの内表面とバックシートの内表面との間に配置される任意の基材（若しくはその表面）のいずれかの少なくとも一部に適用されるローション組成物を含み、このローション組成物はポリプロピレングリコール材料を含む。ポリプロピレン材料が吸収性ゲル材料を含む吸収性コアのような基材に適用される場合、ポリプロピレングリコール材料は吸収性ゲル材料の結合剤として利用されない。１つの実施形態では、ローション組成物は本質的にポリプロピレングリコール材料からなる。ポリプロピレングリコール材料を含むローション組成物は吸収性物品の種々の構成要素の全域でかつ全体を通して、経血などの吸収された体液をより均一に分配するのに役立つ。
【図面の簡単な説明】
【０００９】
本明細書は本発明の主題を特定して指摘し明確に請求する特許請求の範囲をもって結論とするが、本発明は添付図面と関連させた次の説明から更に容易に理解できると考えられる。
【図１】トップシートと、バックシートと、吸収性コアと、を有する代表的な生理用品の平面図。
【図２】トップシートと、第２トップシートと、バックシートと、吸収性コアと、を有する別の代表的な生理用品の平面図。
【図３】トップシートと、バックシートと、吸収性コアと、を有する別の代表的な生理用品の平面図。
【発明を実施するための形態】
【００１０】
本発明は吸収性物品、具体的には、その上にローション処理組成物を有する使い捨て吸収性物品であって、処理組成物はポリプロピレングリコール（「ＰＰＧ」）材料を含む吸収性物品を目的とする。使い捨て吸収性物品は失禁用具及びタンポン、生理用ナプキン、パンティライナー、陰唇間製品等のような生理用品を含む、乳幼児用おむつ又は女性用衛生製品であってよい。本発明は生理用ナプキン又はパンティライナーのような生理用品の１つの実施形態に関して、以下に開示する。
【００１１】
図１、２及び３はトップシート１４の外表面を含む身体接触表面１２と、トップシート１４に接合した液体不透過性バックシート１６と、吸収性コア１８と、を有する、生理用ナプキン又はパンティライナーであってよい生理用品１０を示す。図２に示す生理用品はトップシート１４と吸収性コア１８との間に配置された第２トップシート１５を更に含む。生理用ナプキン１０は長手方向軸Ｌを有し、また当該技術分野において既知の「ウィング」又は「フラップ」（図示せず）、並びに、及び／又は第２トップシート及び／又は流体獲得層及び／又は吸収性コア１８への流体輸送を促進するように設計された他の層を含む、ナプキンに一般的に見られる追加的特徴を備えてもよい。同様に、生理用ナプキンのトップシートは当該技術分野において既知の様々な任意の特徴を有することができる。例えば、トップシート１４はその中に流体の流れを導くエンボス加工されたチャネルを有することができ、それらを通して流体獲得するのに役立つ開口部を有することができ、その上で又はそれを通して可視である印刷されたシグナルを有することができ、この可視シグナルはトップシート又はその下層上に印刷され、機能的及び審美的特性のために可視である。
【００１２】
図１、２及び３の生理用品１０はそれぞれ、それに適用されるローション組成物２２を有する。図１の生理用品１０はバックシート１６の内表面に平行な細長条で適用されるローション組成物２２を有する。図２の生理用品１０は第２トップシート１５の外表面に斑点の模様で適用されるローション組成物２２を有する。図３の生理用品１０は吸収性コア１８の外表面に非均一な模様で適用されるローション組成物２２を有する。
【００１３】
吸収性物品は規格に適合し、柔らかな感触で、着用者の身体に刺激がないものなど、いずれか既知の又はその他の有効なトップシートを含んでよい。好適なトップシート材料としては、着用者の身体に向かって配向され、身体に接触して、流体がトップシートを通って着用者の皮膚に逆流することなく、身体の排泄物がそれを通って迅速に浸透できる、液体透過性材料が挙げられる。トップシートはトップシートを通る流体の迅速な移動を可能にできる一方、ローション組成物が着用者の身体の外側又は内側部分の上へ移動又は移行するようにする。好適なトップシートは生理用ナプキン、パンティライナー、失禁パッド等のような生理用品を製造する分野で周知である、織布材料及び不織布材料；孔あき成形熱可塑性フィルム、孔あきプラスチックフィルム及び交絡加工繊維孔あきフィルムを含む孔あきフィルム材料；ハイドロフォーミングされた熱可塑性フィルム；多孔質発泡体；網状発泡体；網状熱可塑性フィルム；熱可塑性スクリム；又はこれらの組み合わせのような種々の材料から製造することができる。
【００１４】
トップシートが不織布ウェブの形態の不織布繊維性材料を含むときに不織布ウェブは不織布ウェブを作製する任意の既知の手順により製造してよく、この非限定的な例としては、スパンボンディング、カーディング、ウェットレイド、エアレイド、メルトブローン、ニードルパンチング、機械交絡、熱機械交絡及び水流交絡が挙げられる。
【００１５】
本発明の生理用品はバックシートも含む。バックシートは任意の既知の又は他の有効なバックシート材料であることができ、バックシートは生理用品に吸収され、収容された排出物が外部に漏れるのを防止する。バックシートとしての使用に好適な可撓性材料としては、生理用ナプキン、パンティライナー、失禁パッド等のような生理用品を作製する分野で周知のような、織布材料及び不織布材料、積層組織、ポリエチレン及び／若しくはポリプロピレンの熱可塑性フィルムのような高分子フィルム、フィルムコーティングされている不織布材料のような複合材又はこれらの組み合わせが挙げられるが、これらに限定されない。
【００１６】
生理用品は吸収性コアも含む。吸収性コアはトップシートとバックシートの間に典型的には配置される。本明細書で使用するとき、「吸収性コア」という用語は、尿、血液、経血及び身体排出物に見出される水分のような水性流体を、吸収、分配及び格納するために好適な材料又は材料の組み合わせを指す。吸収性コアの大きさ及び形状は吸収能力要件に適合するように、かつ着用者／ユーザに快適性を提供するように変更することができる。本発明に用いるのに好適な吸収性コアは吸収性物品に用いられる当該技術分野において既知の任意の液体吸収性材料であってよいが、但し、液体吸収性材料は吸収能力要件に適合するように構成又は構築できる。吸収性コアとして使用するのに好適な液体吸収性材料の非限定的な例としては、生理用ナプキン、パンティライナー、失禁パッド等のような生理用品を作製する分野で周知である、一般的にエアフェルトと称される粉砕木材パルプ；捲縮セルロース塊；ヒドロゲル形成性ポリマーゲル化剤のような超吸収性ポリマーを含む吸収性ゲル材料；化学的に硬化、変性又は架橋されたセルロース繊維；コフォームを含むメルトブローンポリマー；けん縮ポリエステル繊維を含む合成繊維；ティッシュラップ及びティッシュラミネートを含むティッシュ；毛管路繊維；吸収性フォーム；吸収性スポンジ；合成ステープルファイバー；ピートモス；若しくはいずれかの同等の材料；又はこれらの組み合わせが挙げられる。
【００１７】
本発明の生理用品はローション組成物２２を含み、ローション組成物はＰＰＧ材料を含む。ＰＰＧローション組成物２２はローション付き生理用品の技術分野において周知であるような任意の既知の様式で、任意の既知の模様で、並びに任意の既知の生理用品の部分に適用することができる。例えば、ローション２２は図１に示すように、概略平行な細長条又はバンドの模様で適用することができる。ローション処理組成物は用品の任意の部分上及び外表面又は内表面のような任意の構成要素のいずれかの側面上のローションコーティングであることができる。外表面は生理用ナプキンのトップシートの身体に面する側面又はタンポンの上包みの膣壁に面する表面のような表面を含むことができる。内表面は用品の内部に面する表面を含むことができる。
【００１８】
トップシート又はバックシート上に配置される場合、ローション組成物は好ましくは、トップシート又はバックシートの内表面上に配置される。伝統的に、ローション組成物はトップシートの身体に面する表面（すなわち、外表面）に適用されていた。身体に面する表面とは対照的に、トップシートの内表面にローション組成物を適用することに関しては、ＰＰＧローション組成物が、経血のような体液が基材の繊維へ付着することを低減するのに役立ち、それにより吸収性物品全体にわたって体液をより迅速に分配することを促進すると考えられる。これにより、吸収性物品の吸収能力の利用がより効率的になる。
【００１９】
ローション組成物はあるいは又は更に、トップシートの内表面とバックシートの内表面との間に配置される任意の基材（又はその表面）に適用することができる。このように、ローション組成物は吸収性コアの内表面又は外表面のいずれかの上に任意の模様で配置することができる。ローション組成物は第２トップシート、第２吸収性コア材料、分配層及びウイングのような他の構成要素の内表面又は外表面のいずれかの上に任意の模様で存在することができる。タンポンの場合、ローション組成物は圧縮前又は後のいずれかで綿球上に、上包み、スカート部分、引き出しひも及び／又は任意のアプリケータ装置上に配置することができる。生理用品が吸収性ゲル材料（吸収性コア内に時折見られるような）を含む場合、ＰＰＧ材料を吸収性ゲル材料の結合剤として利用しない。吸収性ゲル材料は典型的には、ヒドロゲル形成性ポリマーゲル化剤のような超吸収性ポリマーを含む。
【００２０】
生理用品の場合、ローション付加レベルの量は可変性であることができ、特定の必要性に合わせることができる。例えば、理論に縛られるものではないが、ローションは単位平方メートル（「ｇｓｍ」）あたり約０．０１グラム、約０．０５ｇｓｍ、約０．１ｇｓｍ、約０．５、約１ｇｓｍ、約２ｇｓｍ、約３ｇｓｍ、約４ｇｓｍ、約５ｇｓｍ、約１０ｇｓｍ、約２５ｇｓｍ、約５０ｇｓｍ又は約１００ｇｓｍの濃度で付加することができると考えられる。ローションは上記で列挙した濃度のいずれかにより規定される範囲（例えば、約０．０１ｇｓｍないし約１００ｇｓｍ）内で適用することができる。これらの濃度はローションにより実際に被覆される表面の領域に関する。
【００２１】
生理用品及びローション組成物装置は米国特許出願公開第２００５／０１２９６５１（Ａ１）号、同第２００４／０１７０５８９（Ａ１）号及び同第２００５／０２０８１１３（Ａ１）号に記載のような、構成要素、構造、模様、処方及び変形を含む。
【００２２】
本発明のローション組成物２２は非ＰＰＧ由来の界面活性剤及び他の表面改質剤を含む、既知のローションより有効な利点を提供する。この利点は経血を吸収するための生理用品で特に重要である。理論に縛られるものではないが、本明細書のＰＰＧ材料の優れた流体処理特性は経血の水成分に作用する表面エネルギー処理とは対照的に、ＰＰＧ材料が経血の固体成分に作用する方法に起因すると考えられる。既知の表面エネルギー処理は表面エネルギー処理の効果を複雑にする経血の極性及び分散性成分の存在に起因して、それほど有効ではない。本明細書のＰＰＧ材料は典型的には、経血に容易に溶解しないため、経血に溶解することなく表面を効果的にコーティングし、経血が使い捨て吸収性物品の表面を汚さないようにすることができる。汚れないようにすることにより、流体がよりよくかつより素早く移動し、用いられる製品上の着色汚れの模様を目立たなくする。
【００２３】
本明細書のＰＰＧ材料はローション組成物中の一成分として適用することもでき、無希釈（すなわち、ローション組成物はＰＰＧ材料からなる）で適用することもできる。ＰＰＧ材料は所望の流体処理特性に応じて、様々な付加濃度で適用することができる。ＰＰＧ材料はトップシート、バックシート、吸収性コア、ウイング、第２トップシート又は引き出しひも（タンポンの場合）のような使い捨て吸収性製品の任意の部分に添加することができ、また、全面コーティング、細長条又はバンド（縦方向又はＣＤ方向の）、液滴、らせん模様等のような任意の模様で添加することができる。ＰＰＧ材料を含むローション組成物は吸収性物品に存在するとき、チャネル又はエンボス加工された領域付近に配置することもできる。
【００２４】
１つの実施形態では、トップシート１４は親水性であるか、親水性にすることができ、ローションも親水性であることができる。親水性又は疎水性の水準は平衡状態で物質の表面上に水滴が作り出す角度を測定するような、標準的な技術により決定することができる。一般に、本発明の目的上、水滴が約６０°以下の角度を示す場合、物質は親水性であると考えられる。繊維のポリマーから形成されるフィルムシートが６０°未満、７５°未満及び約９０°未満の水との接触角を示す場合、繊維は親水性であると考えられる。親水性の尺度としての接触角は当該技術分野において周知であり、接触角を測定する方法も同様に周知である。周知のように、約９０°を超える接触角は疎水性であると考えられ、９０°未満の接触角は親水性であると考えられる。
【００２５】
本発明のローション組成物はＰＰＧ材料を含む。本明細書で好適なＰＰＧ材料としては、ＰＰＧホモポリマー材料、ＰＰＧコポリマー材料及びＰＰＧ界面活性剤材料、並びにこれらの混合物が挙げられる。ローション組成物は他の任意成分を更に含むことができる。１つの実施形態では、ローション組成物は本質的にＰＰＧ材料、好ましくはポリプロピレングリコールからなるか、ＰＰＧ材料、好ましくはポリプロピレングリコールからなる。
【００２６】
好適なＰＰＧホモポリマー材料としては、以下の式に一致するものが挙げられる。
【化１】
2010518918.tif 000003
−式中、Ｒは水素、メチル、エチル、プロピル、イソプロピル、ブチル、イソブチル、ベンジル、アセトカルボニル、プロピオカルボニル、ブチロカルボニル、イソブチロカルボニル、ベンゾカルボニル、フマロカルボニル、アミノベンゾカルボニル、カルボキシメチレン、アミノプロピレン、アルキル化グルコース、アルキル化スクロース、アルキル化セルロース、アルキル化デンプン又はホスフェートであり、式中Ｒは好ましくは水素又はメチルであり、
−式中、Ｒ１は水素、メチル、エチル、プロピル、イソプロピル、ブチル、イソブチル、ベンジル、アセトカルボニル、プロピオカルボニル、ブチロカルボニル、イソブチロカルボニル、ベンゾカルボニル、フマロカルボニル、アミノベンゾカルボニル、カルボキシメチレン、アミノプロピレン、アルキル化グルコース、アルキル化スクロース、アルキル化セルロース、アルキル化デンプン又はホスフェートであり、式中Ｒ１は好ましくは水素又はメチルであり、
−式中ｎは３ないし１６０であり、好ましくは１０ないし１００であり、より好ましくは２０ないし８０である。
【００２７】
所望により、ＰＰＧホモポリマーはそのモノマー原材料の一部として低濃度のグリセロール又はブタンジオールを含んでもよい。存在する場合、グリセロール又はブタンジオールとプロピレングリコールとの好ましい比は１：１０００ないし１：２、最も好ましくは１：１００ないし１：５の範囲である。ＰＰＧホモポリマーはＣＡＳ番号２５３２２−６９−４及び同２５７９１−９６−２を有することができるが、これらに限定されない。
【００２８】
好適なＰＰＧホモポリマー材料の非限定的な例はプルリオール（Pluriol）Ｐ−４０００（ＢＡＳＦ）、アルカポール（Alkapol）ＰＰＧ−４０００（アルカリル・ケミカル（Alkaril Chemical））及びニアックスポリオール（Niax Polyol）（ＰＰＧ  ４０２５（ユニオンカーバイド（Union Carbide））のようなポリプロピレングリコール４０００；ポリプロピレングリコール３５００；ニアックスＰＰＧ  ３０２５（ユニオンカーバイド）のようなポリプロピレングリコール３０００；アルカノール（Alkanol）ＰＰＧ−２０００（アルカリル・ケミカル）及びプルリオールＰ−２０００（ＢＡＳＦ）のようなポリプロピレングリコール２０００、アルカポールＰＰＧ−１２００（アルカリル・ケミカル）及びグルカム（Glucam）Ｐ−２０保湿剤（ノベオン（Noveon）のようなポリプロピレングリコール１２００；ニアックス（Niax）ＰＰＧ  １０２５（ユニオンカーバイド）のようなポリプロピレングリコール１０００；アルカノールＰＰＧ−６００（アルカリル・ケミカル）及びグルカムＰ−１０保湿剤（ノベオン）のようなポリプロピレングリコール６００；アルカノールＰＰＧ−４２５（アルカリル・ケミカル）のようなポリプロピレングリコール４００プルリオールＴ−４０００（ＢＡＳＦ）のようなポリプロピレングリコール４０００グリセロールエーテル；ポリプロピレングリコール２０００グリセロールエーテル、ポリプロピレングリコール２０００ブタンジオールエーテル、プルリオールＴ−１５００（ＢＡＳＦ）のようなポリプロピレングリコール１５００グリセロールエーテル、モノメチルエーテルを含むポリポリプロピレングリコール４０００、ジメチルエーテルを含むポリプロピレングリコール２０００、モノブチルエーテルを含むポリプロピレングリコール４０００、モノブチルエーテル（monobuytyl ether）を含むポリプロピレングリコール２０００、ジブチルエーテルを含むポリプロピレングリコール１２００、ビス（２−アミノプロピルエーテル）を含むポリプロピレングリコール４０００、ＰＰＧ−１０メチルグルコースエーテル及びＰＰＧ−２０メチルグルコースエーテル（methyl glucose either）が挙げられる。
【００２９】
好適なＰＰＧコポリマー材料としては、ポリプロピレングリコール（polyprolyene glycol）セグメントがコポリマー構造の内部ブロック成分及び／又は末端成分として存在するものが挙げられる。以下の式は内部ブロック成分及び末端ブロック成分を示す。
【化２】
2010518918.tif 000004
式中、ｘは２ないし１２０、好ましくは２ないし８０、より好ましくは３ないし６０であり、ｙは２ないし１００、好ましくは２ないし５０、より好ましくは３ないし３０であり、Ｒ２は水素、メチル、エチル、イソプロピル又はイソブチルである。
【００３０】
本ローション組成物のためにＰＰＧとプロポキシル化コポリマーを形成するのに好適なポリマーとしては、ポリジメチルシロキサン、ポリエチルイミン、ポリアクリル酸、ポリ（エチレン−コ−アクリル酸）、ポリメタクリル酸、ポリ（エチレン−コ−メタクリル酸）、ポリ（ビニルアセテート）、ポリビニルピロリドン、ポリ（エチレン−コ−ビニルアセテート）、ポリ（ブタンジオール）、ポリ（ネオペンチルグリコール）、ポリ（エチレンアジパート）、ポリ（ブチレンアジパート）、ポリ（エチレングルタメート）、ポリ（ブチレングルタメート）、ポリ（エチレンセバケート）、ポリ（ブチレンセバケート）、ポリ（エチレンスクシネート）、ポリ（ブチレンスクシネート）、ポリ（エチレンテレフタレート）、ポリ（ブチレンテレフタレート）、ポリカプロラクトン及びポリグリセロールが挙げられる。
【００３１】
好適なＰＰＧコポリマー材料の非限定的な例としては、サイソフト（Sisoft）９１０（モメンティブ（Momentive））のようなＰＰＧ−１２ジメチコン；ポリダーム（Polyderm）−ＰＰＩ−ＳＩ−ＷＩ（アルゾ（Alzo））のようなビス−ＰＰＧ−１５ジメチコン／ＩＰＤＩコポリマー；ＰＰＧ／ポリカプロラクトンブロックコポリマー；ＰＰＧ／ポリブタンジオール／ＰＥＧランダムコポリマー；ＰＰＧ／ポリブタンジオール／ＰＥＧトリブロックコポリマー；ポリイミン／ＰＰＧコポリマー及びポリアクリル酸−ｇ−ＰＰＧコポリマーが挙げられる。
【００３２】
別の好適なＰＰＧ材料としては、ＰＰＧ界面活性剤材料が挙げられる。以下の式はＰＰＧセグメントが頭部官能基の一部を構成する、好適なＰＰＧ界面活性剤材料を表す。
【化３】
2010518918.tif 000005
式中Ｒ３は水素、アルキル、アルキルカルボニル、アルキレンアミン（alkylenelamine）、アルキレンアミド（alkylenelamide）、アルキレンホスフェート、アルキレンカルボン酸、アルキレンスルホン酸塩及び６以下の炭素元素の最大数を有するアルキレン第四級アンモニウム化合物であり、Ｒ４はオクチル、ノニル、デシル、イソデシル（iosdecyl）、ラウリル、ミリスチル、セチル、イソヘキサデシル、オレイル、ステアリル、イソステアリル、タローオイル（tallowoyl）、リノレイル、ホホバ、ラノリン、ベヘニル、ジノニルフェニル、ドデシルフェニル又はソヤ（soya）であり、ｚは１ないし１００、好ましくは２ないし３０、より好ましくは３ないし２５であり、Ｆはエーテル基（オキシ、グリセリル、グルコース、ソルビタン、スクロース、モノエタノールアミン又はジエタノールアミンを含む）、エステル基（エステル、グリセリルエステル、グルコースエステル、ソルビタンエステル又はスクロースエステルを含む）、アミン基、アミド基及びリン酸エステル基からなる群から選択される官能基である。
【００３３】
以下の式はＰＰＧセグメントが内部ブロック基を構成する、好適なＰＰＧ界面活性剤材料を表す。
【化４】
2010518918.tif 000006
式中Ｒ５はヘキシル、２−エチルヘキシル、オクチル、ノニル、デシル、イソデシル、ラウリル、ココイル、ミリスチル、セチル、イソヘキサデシル、オレイル、ステアリル、イソステアリル、タロー、リノレイル、オクチルフェニル又はノニルフェニルであり、ｒは１ないし１２０、好ましくは４ないし５０、より好ましくは６ないし３０であり、Ｇはエーテル、エステル、アミン又はアミド結合である。
【００３４】
好適なＰＰＧ界面活性剤材料の非限定的な例としては、ヘトソール（Hetoxol）Ｃ３０Ｐ（グローバルセブン（Global Seven））のようなＰＰＧ−３０セチルエーテル；グルカムＰ−２０ジステアレートエモリエント（ノベオン（Noveon））のようなＰＰＧ−２０メチルグルコースエーテルジステアレート、ＰＰＧ−２０メチルグルコースエーテルアセテート、ＰＰＧ−２０ソルビタントリステアレート、ＰＰＧ−２０メチルグルコースエーテルジステアレート、ＰＰＧ−２０ジステアレート、アラモール−Ｅ（Alamol-E）（クローダ−ユニケマ（Croda-Uniqema））及びプロセチル（Procetyl）１５（クローダ（Croda））のようなＰＰＧ−１５ステアリルエーテル、ＰＰＧ−１５ステアリルエーテルベンゾエート、ＰＰＧ−１５イソヘキサデシルエーテル、ＰＰＧ−１５ステアレート、ＰＰＧ−１５ジココエート、ＰＰＧ−１２ジラウレート、バロニック（Varonic）ＡＰＳ（エボニック（Evonik））のようなＰＰＧ−１１ステアリルエーテル；プロセチル１０（クローダ）のようなＰＰＧ−１０セチルエーテル；ＰＰＧ−１０グリセリルステアレート、ＰＰＧ−１０ソルビタンモノステアレート（monosteate）、ＰＰＧ−１０硬化ヒマシ油、ＰＰＧ−１０セチルホスフェート、ＰＰＧ−１０タローアミン、ＰＰＧ−１０オレアミド、ＰＰＧ−１０セチルエーテルホスフェート、ＰＰＧ−１０ジノニルフェノラート、ＰＰＧ−９ラウレート、ＰＰＧ−８ジオクタート、ＰＰＧ−８ジエチルヘキシラート、ＰＰＧ−７ラウリルエーテル、ＰＰＧ−５ラノリンワックスエーテル、ＰＰＧ−５スクロースココエート、ＰＰＧ−５ラノリンワックス、ＰＰＧ−４ホホバアルコールエーテル、ＰＰＧ−４ラウリルエーテル、プロミリスチル（Promyristyl）ＰＭ−３（クローダ）のようなＰＰＧ−３ミリスチルエーテル、クローダモール（Crodamol）ＰＭＰ（クローダ）のようなＰＰＧ−３ミリスチルエーテルプロピオネート、クローダモールＳＴＳ（クローダ）のようなＰＰＧ−３ベンジルエーテルミリステート、ヘテスター（Hetester）ＨＣＰ（アルゾ）のようなＰＰＧ−３硬化ヒマシ油、ＰＰＧ−３−ヒドロキシエチルソヤミド（hdyroxyethyl soyamide）、ＰＰＧ−２コカミド、ＰＰＧ−２ラノリンアルコールエーテル及びアミゼット（Amizett）ＩＰＣ（川研ファインケミカル（Kawaken Fine Chemicals））のようなＰＰＧ−１ヤシ脂肪酸イソプロパノールアミドが挙げられる。
【００３５】
ＰＰＧ材料に加えて、本発明のローション組成物は所望により、特にこれらのローション組成物が吸収性物品上への適用から身体に投与されたとき、紅斑、悪臭及び細菌性皮膚疾患の予防及び治療に極めて有効である、ヘキサミジン、酸化亜鉛及びナイアシンアミドのような身体治療剤の選択組み合わせを更に含むことができる。
【００３６】
本発明のローション組成物は所望により、ＰＰＧ材料及び／又は任意の身体治療剤のための担体を更に含むことができる。担体は個々の担体又は担体成分の組み合わせとして組成物に含まれることができるが、但し、総担体濃度は身体上にＰＰＧ材料及び／又は任意の身体治療剤を移動及び／又は移行させ、吸収性物品への流体獲得を促進するのに十分である。担体は液体、固体、若しくは半固体担体物質又はこれらの物質の組み合わせであることができるが、但し、得られる担体は得られる担体系のために選択された加工温度及び本明細書のローション組成物を配合する際に担体と皮膚治療剤を組み合わせるための加工温度において、均一な混合物又は溶液を形成する。担体系の加工温度は約６０℃ないし約９０℃、より典型的には約７０℃ないし約８５℃、更により典型的には約７０℃ないし約８０℃の範囲であってよい。
【００３７】
本発明のローション組成物はローション組成物の約６０重量％ないし約９９．９重量％、好ましくは約７０重量％ないし約９８重量％、より好ましくは約８０重量％ないし約９７重量％の範囲の担体総濃度で、担体を含むことができる。好適な担体化合物としては、約４ないし約３２個の炭素原子を有する石油系炭化水素、約１２ないし約２４個の炭素原子を有する脂肪族アルコール、ポリシロキサン化合物、脂肪酸エステル、アルキルエトキシレート、約１ないし約６個の炭素原子を有する低級アルコール、低分子量グリコール及びポリオール、約１２ないし約２８個の炭素原子をその脂肪鎖中に有する脂肪族アルコールエーテル、ラノリン及びその誘導体、アセトグリセリド及びＣ１２ないしＣ２８脂肪酸のエトキシル化グリセリドを含むグリセリド及びその誘導体、並びにこれらの混合物が挙げられる。あるいは又は組み合わせて、担体はまたポリシロキサン化合物から構成されてもよく、非限定的な例としては、ジメチコン（１ないし１００，０００，０００センチストーク）、シクロメチコン、アルキル化シリコーン（ヘアコンディショニング剤）、シリコーンゴム、シリコーンゲル、シリコーンワックス、シリコーンのコポリマー（ビニルジメチコンポリマー、フェニルビニルジメチコンポリマー、アルキル化シリコーンポリマー、ポリエチレンオキシド／シリコーンコポリマー、ポリエチレンオキシド／アルキルシリコーンコポリマー）及びこれらの混合物が挙げられる。
【００３８】
約４個ないし約３２個の炭素原子を有する好適な石油系炭化水素の非限定的な例としては、鉱油、ワセリン、イソパラフィン、様々なその他の分枝鎖炭化水素及びこれらの組み合わせが挙げられる。鉱油は「流動ワセリン」としても既知であり、通常は約１６ないし約２０個の炭素原子を有する炭化水素のそれほど粘稠ではない混合物を指す。ワセリンはまた「ミネラルワックス」、「石油ゼリー」及び「ミネラルゼリー」としても既知であり、通常は約１６ないし約３２個の炭素原子を有する炭化水素のより粘稠な混合物を指す。ワセリンの市販例としては、プロトペット（Protopet）（登録商標）１Ｓとして販売されているワセリンが挙げられ、これはコネチカット州グリニッチ（Greenwich）所在のウィトコ・コーポレーション（Witco Corporation）より入手可能である。
【００３９】
約１２ないし約２４個の炭素原子を有する好適な脂肪族アルコールの非限定的な例としては、飽和非置換の一価アルコール又はその組み合わせが挙げられ、その融点は約１１０℃未満、好ましくは約４５℃ないし約１１０℃である。本発明のローション組成物に用いる脂肪族アルコール担体の具体例としては、セチルアルコール、ステアリルアルコール、セテアリルアルコール、ベヘニルアルコール、アラキジルアルコール、リグノセリル（lignocaryl）アルコール及びこれらの組み合わせが挙げられるが、これらに限定されない。市販のセテアリルアルコールの例はステノール（Stenol）１８２２であり、ベヘニルアルコールはラネッテ（Lanette）２２であり、これらは両方オハイオ州シンシナティ（Cincinnati）所在のコグニス・コーポレーション（Cognis Corporation）より入手可能である。
【００４０】
好適な脂肪酸エステルの非限定的な例としては、Ｃ１２ないしＣ２８脂肪酸及び短鎖（Ｃ１ないしＣ８、好ましくはＣ１ないしＣ３）一価アルコールの混合物、好ましくはＣ１６ないしＣ２４飽和脂肪酸及び短鎖（Ｃ１ないしＣ８、好ましくはＣ１ないしＣ３）一価アルコールの混合物由来の脂肪酸エステルが挙げられる。このようなエステルの代表的な例としては、メチルパルミテート、メチルステアレート、イソプロピルラウレート、イソプロピルミリステート、イソプロピルパルミテート、エチルへキシルパルミテート及びこれらの混合物が挙げられる。好適な脂肪酸エステルはまた、より長鎖の脂肪族アルコール（Ｃ１２ないしＣ２８、好ましくはＣ１２ないしＣ１６）及び乳酸のような、より短鎖の脂肪酸のエステル由来であることができ、その具体例としては、ラウリルラクテート及びセチルラクテートが挙げられる。
【００４１】
好適なアルキルエトキシレートの非限定的な例としては、約２ないし約３０の平均エトキシ化度を有するＣ１２ないしＣ２２の脂肪族アルコールエトキシレートが挙げられる。約１ないし約６個の炭素原子を有する好適な低級アルコールの非限定的な例としては、エタノール、イソプロパノール、ブタンジオール、１，２，４−ブタントリオール、１，２ヘキサンジオール、エーテルプロパノール及びこれらの混合物が挙げられる。好適な低分子量グリコール及びポリオールの非限定的な例としては、エチレングリコール、ポリエチレングリコール（例えば、分子量２００ないし６００ｇ／モル）、ブチレングリコール、プロピレングリコール、ポリプロピレングリコール及びこれらの混合物が挙げられる。好適な炭化水素、ポリシロキサン化合物及び脂肪族アルコールエトキシレートを含む担体成分の、より詳細な記載は１９９７年７月１日にロー（Roe）らに発行された、「ローション付トップシートを有するおむつ（Diaper Having A Lotioned Topsheet）」という名称の米国特許第５，６４３，５８８号に見ることができる。
【００４２】
本発明によるローション付生理用品の調製では、ローション組成物はトップシートの内表面、バックシートの内表面又は（吸収性コアのような）トップシートの内表面とバックシートの内表面との間に配置される任意の基材（又はその表面）のいずれかの少なくとも一部に適用される。溶融又は液体稠度を有するぬるぬるした材料を分配する種々の適用方法のいずれかを用いることができる。好適な方法としては、噴霧、印刷（例えば、フレキソ印刷）、コーティング（例えば、グラビアコーティング）、押出成形、浸漬又はこれらの適用技術の組み合わせ、例えば、カレンダーロールのような回転している表面上にローション組成物を噴霧し、次いで組成物を生理用ナプキンのトップシートの外表面に移動させる等が挙げられるが、これらに限定されない。更に、ローション組成物を生理用品の一部に適用する方式は基材又は構成要素がローション組成物で飽和しないようなものであることができる。
【００４３】
生理用品の構成要素に適用されるローション組成物の最低濃度はその構成要素への経血の付着を低減するのに有効な量である。
【００４４】
ローション組成物はまた、生理用品の構成要素又は層に不均一に適用することができる。「不均一」とは、ローション組成物の量、分配模様等が変動できることを意味する。例えば、ローション組成物２２の非均一模様を図３に示す。
【００４５】
ローション組成物は組立中の任意の時点で生理用品に適用することができる。例えば、ローション組成物はまた、それが他の原材料と組み合わせられ、完成した生理用品を形成する前に、用品の一部に適用することができる。
【００４６】
本発明のローション組成物は当該技術分野において既知であるか、米国特許第５，９６８，０２５号に開示されているような、印刷方法又は連続噴霧又は押出成形により適用することができる。
【００４７】
本明細書に開示されている寸法及び値は列挙した正確な数値に厳しく限定されるものとして理解すべきではない。それよりむしろ、特に規定がない限り、こうした各寸法は列挙された値とその値周辺の機能的に同等の範囲との両方を意味することを意図している。例えば、「４０ｍｍ」として開示した寸法は「約４０ｍｍ」を意味することを意図したものである。
【００４８】
「発明を実施するための形態」で引用した全ての文献は、関連部分において本明細書に参照により組み込まれるが、いずれの文献の引用も、それが本発明に対する先行技術であることを容認するものと解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【００４９】
本発明の特定の諸実施形態を図示し、記載したが、本発明の趣旨及び範囲から逸脱することなく他の様々な変更及び修正を実施できることは当業者には自明であろう。したがって、本発明の範囲内にあるかようなすべての変更及び修正は、添付の特許請求の範囲に包含されるものとする。
【図１】
2010518918.tif 000007
【図２】
2010518918.tif 000008
【図３】
2010518918.tif 000009
【国際調査報告】
2010518918.tif 000010
2010518918.tif 000011